(57)【要約】      （修正有）【課題】変速機能の食物調理機の提供。【解決手段】主に本体、固定速度ブレードと変速ブレードを有する。そのうち、該固定速度ブレードと変速ブレードに取付け台１１と回転台１２を設ける。回転台は芯軸１３と軸受１３２と合わせて、取付け台に対して自在に回転できるように取り付ける。該固定速度ブレードに変速機構を設けないため、ブレードは機構上のモータ伝動軸２１に取付けたとき、モータと同じ回転数を出力する。取付け台内部に変速機構２を有するため該変速ブレードは、モータ伝動軸に取り付けて回転するときに、該変速機構は芯軸を介して変速出力し、可動台に設けるブレード１を変速回転する。【選択図】図４
0003130731.tif 000002
【実用新案登録請求の範囲】
【請求項１】
以下の構成要素を備えた、
本体、駆動軸を備えたモータを有する、
固定速度ブレード、取付け台と回転台を有し、該回転台にブレードと芯軸を有し、該芯軸は軸受と合わせて該取付け台に設け、該取付け台の芯軸に受動ジョイントを設ける、
変速ブレード、取付け台と回転台を有し、該取付け台は中空の筒状体を形成し、該取付け台内部に変速機構を設け、該変速機構は伝動軸、該伝動軸一端に設ける第１ジョイント、及び該変速機構に設ける第２ジョイントをそれぞれ設ける、該伝動軸は軸受により該取付け台に固定する、該回転台にブレードと芯軸を設け、該芯軸に該第２ジョイントと連結する受動ジョイントを有することを特徴とする変速機能の食物調理機。
【請求項２】
該変速機構はさらに、該取付け台内側の内輪歯車、該伝動軸に設ける太陽歯車、遊星盤、及び複数の遊星歯車を有する、該遊星盤は該伝動軸にて自在に取り付ける。該第２ジョイントは遊星盤に設ける、該遊星歯車は該遊星盤に旋設し、該内輪歯車と太陽歯車に噛み合わせることを特徴とする請求項１記載の変速機能の食物調理機。
【請求項３】
以下の構成要素を備えた、
本体、駆動軸を備えたモータを有する、
複数の変速ブレードを設け、各変速ブレードに取付け台と回転台を有し、該取付け台は中空の筒状体を形成し、該取付け台内部に変速機構を設け、該変速機構は伝動軸、該伝動軸一端に設ける第１ジョイント、及び該変速機構に設ける第２ジョイントをそれぞれ設ける、該伝動軸は軸受により該取付け台に固定する、該回転台にブレードと芯軸を設け、該芯軸に該第２ジョイントと連結する受動ジョイントを有することを特徴とする変速機能の食物調理機。
【請求項４】
該変速機構はさらに、該取付け台内側の内輪歯車、該伝動軸に設ける太陽歯車、遊星盤、及び複数の遊星歯車を有する、該遊星盤は該伝動軸にて自在に取り付ける。該第２ジョイントは遊星盤に設ける、該遊星歯車は該遊星盤に旋設し、該内輪歯車と太陽歯車に噛み合わせることを特徴とする請求項３記載の変速機能の食物調理機。
【考案の詳細な説明】
【技術分野】
【０００１】
本考案は一種の食物調理機、特に一種の変速ブレードと固定速度ブレードを交換する考案に関わるものである。
【背景技術】
【０００２】
通常の食物調理機は単独機能しかありません。一例として、通常のジューサーは単純なジューサー機能しかなく、野菜きり又は肉ミンチの機能をもたない。前記した３種類の機能を備えるには、本体に３種類のブレードを装備しなければならない。このほか、一つの食物調理機に多種類のブレードを装備していても、一種の回転速度しかなく、ジューサー、野菜きり、肉ミンチの用途に合わせて、適切な回転速度を提供できない。このため、食物調理機の体積が大きく、重くなり、製造コストも高い。
【考案の開示】
【考案が解決しようとする課題】
【０００３】
従来の食物調理機回転速度の種類が多いほど、構造が複雑、体積が大きく、製造コストが高くなる欠点解決を図ることを本考案の主な目的である。
【０００４】
本考案の主な特徴は、調理する食物の特性に従い、変速ブレードと固定速度ブレードを取り付けることにより、利用者は食物調理のとき、調理機に取り付けるモータ伝動軸の選択及び取り付けて、最適な食材の調理を行う。
【０００５】
本考案の固定速度ブレードは取付け台と回転台を有し、回転台は芯軸と軸受を取付け台に組み込み、取付け台にて自在に回転する。該固定速度ブレードに変速機構を設けないため、ブレードを機構のモータ伝動軸に取り付けて、モータと等速に回転する。変速ブレードは取付け台内部に変速機構を設けることにより、モータ伝動軸に取り付けて回転するときに、該変速機構は芯軸を介して変速出力して、可動台に設けるブレードを変速回転する。
【０００６】
本考案の固定速度ブレードに取付け台と回転台を設け、該回転台にブレードと芯軸を取り付ける。該芯軸は軸受と合わせて該取付け台に組み入れる。該取付け台内部の芯軸に受動ジョイントを設け、該芯軸にモータ伝動軸と連結した手動ジョイントに連結する受動ジョイントを設ける。両者を連結した後、モータと同じ速度の出力を形成する。
【０００７】
本考案の変速ブレードは、該ブレードに中空状取付け台と回転台を有し、該取付け台の内部に変速機構を設ける。該変速機構は伝動軸、該伝動軸の一端に第１ジョイント、該変速機構に連結する第２ジョイントそれぞれ設ける。該伝動軸は軸受により該取付け台に固定する。該回転台はブレードと芯軸を有し、該芯軸に受動ジョイントを設けて第２ジョイントに連結する。該取付け台を食物調理機のモータ伝動軸に取付けることにより、該第１ジョイント及び伝動軸に備えるジョイントと連結する。モータにより伝動軸を伝動し回転したとき、該変速機構を介して、芯軸を変速して出力し、ブレードの変速回転を実現する。
【０００８】
該変速機構は、該取付け台内輪に内輪歯車を設け、伝動軸に太陽歯車を設ける。さらに、該取付け台内部に遊星盤と複数の遊星歯車を設ける。該遊星盤は該伝動軸へ自在に設ける。該第２ジョイントは該遊星盤に取付け、該遊星歯車は該遊星盤に設けて、該内輪歯車と太陽歯車と噛み合わせて回転する。これらの構成要素を組み合わせることにより、伝動軸は伝動により回転するとき、各遊星歯車を内輪歯車に沿って回転し、遊星盤の回転を減速した上、該遊星盤は、第２ジョイントを介して受動ジョイントと合わせて回転台を伝動し、回転速度の変更を実現する。
【課題を解決するための手段】
【０００９】
請求項１の考案は、以下の構成要素を備えた、
本体、駆動軸を備えたモータを有する、
固定速度ブレード、取付け台と回転台を有し、該回転台にブレードと芯軸を有し、該芯軸は軸受と合わせて該取付け台に設け、該取付け台の芯軸に受動ジョイントを設ける、
変速ブレード、取付け台と回転台を有し、該取付け台は中空の筒状体を形成し、該取付け台内部に変速機構を設け、該変速機構は伝動軸、該伝動軸一端に設ける第１ジョイント、及び該変速機構に設ける第２ジョイントをそれぞれ設ける、該伝動軸は軸受により該取付け台に固定する、該回転台にブレードと芯軸を設け、該芯軸に該第２ジョイントと連結する受動ジョイントを有することを特徴とする変速機能の食物調理機としている。
請求項２の考案は、該変速機構はさらに、該取付け台内側の内輪歯車、該伝動軸に設ける太陽歯車、遊星盤、及び複数の遊星歯車を有する、該遊星盤は該伝動軸にて自在に取り付ける。該第２ジョイントは遊星盤に設ける、該遊星歯車は該遊星盤に旋設し、該内輪歯車と太陽歯車に噛み合わせることを特徴とする請求項１記載の変速機能の食物調理機としている。
請求項３の考案は、以下の構成要素を備えた、
本体、駆動軸を備えたモータを有する、
複数の変速ブレードを設け、各変速ブレードに取付け台と回転台を有し、該取付け台は中空の筒状体を形成し、該取付け台内部に変速機構を設け、該変速機構は伝動軸、該伝動軸一端に設ける第１ジョイント、及び該変速機構に設ける第２ジョイントをそれぞれ設ける、該伝動軸は軸受により該取付け台に固定する、該回転台にブレードと芯軸を設け、該芯軸に該第２ジョイントと連結する受動ジョイントを有することを特徴とする変速機能の食物調理機としている。
請求項４の考案は、該変速機構はさらに、該取付け台内側の内輪歯車、該伝動軸に設ける太陽歯車、遊星盤、及び複数の遊星歯車を有する、該遊星盤は該伝動軸にて自在に取り付ける。該第２ジョイントは遊星盤に設ける、該遊星歯車は該遊星盤に旋設し、該内輪歯車と太陽歯車に噛み合わせることを特徴とする請求項３記載の変速機能の食物調理機としている。
【考案の効果】
【００１０】
従来の食物調理機回転速度の種類が多いほど、構造が複雑、体積が大きく、製造コストが高くなる欠点を解決する。
【考案を実施するための最良の形態】
【００１１】
図１と図２は本考案の固定速度ブレード１の構造である。主に取付け台１１と回転台１２を有する。そのうち、取付け台１１は中空の筒状体を形成し、該取付け台１１の内部に二つの軸受け１３２と合わせて芯軸１３を設け、芯軸１３は取付け台１１に対して自在に回転する。該芯軸１３は取付け台１１内部の一端は受動ジョイント１３１に連結する。該受動ジョイント１３１はモータ伝動軸に設ける主動ジョイント(図示しない)と噛み合わせる。出取付け台１１に備える芯軸１３の他端は、ブッシング１２１に合わせて、該回転台１２を設ける。該回転台１２の適切場所の周辺に肉ミンチブレード１５など、複数のブレードを設ける。そのうち一つの軸受１３２と取付け台１１の内側上部との間に、ばね１４を設けて、回転台１２の軸方向移動機能を持たせる。ブレード１は食物調理機のモータ伝動軸に取り付けた後、該受動ジョイント１３１は伝動軸の手動ジョイントと噛み合わせることにより、モータ回転のとき、伝動軸は芯軸１３を伝動し回転し、肉ミンチブレード１５を等速回転させ、増減速の変速効果を有しない。
【００１２】
図３と図４は本考案の変速ブレード１の構造である。主に取付け台１１と回転台１２を有する。該取付け台１１は中空の筒状体を形成し、中空の内部に変速機構２を設ける。該変速機構２は伝動軸２１、該伝動軸２１に設ける太陽歯車２７、遊星盤２５、複数の遊星歯車２４、伝動軸２１一端に設ける第１ジョイント２２、及び該遊星盤２５に設ける第２ジョイント２６をそれぞれ設ける。伝動軸２１は軸受２３により取付け台１１に取り付けることにより、伝動軸２１を取付け台１１にて自在に回転する。該取付け台１１の内側に内輪歯車２０を設ける。伝動軸２１の適切場所に該遊星盤２５を設け、該遊星盤２５に複数の遊星歯車２４を旋設し、各遊星歯車２４は内輪歯車２０と噛み合わせる。取付け台１１は軸受１３２に合わせて、芯軸１３を設け、該芯軸１３は取付け台１１内部に延ばす端は、受動ジョイント１３１を設ける。該受動ジョイント１３１と第２ジョイント２６と噛み合わせる。取付け台１１を突き出す端はブッシング１２１に合わせて野菜調理ブレード１６などのブレードを設ける。軸受１３２と取付け台１１内側の上部との間にばね１４を設けて、回転台１２の軸方向移動機能を持たせる。
【００１３】
該変速ブレード１は食物調理機本体に備えるモータ伝動軸に取り付けた後、該第１ジョイント２２はモータ伝動軸の主動ジョイント(図示しない)と噛み合わせる。これにより、モータ回転の駆動により、伝動軸２１を回転する。伝動軸２１に備える太陽歯車２７は各遊星歯車２４を内輪歯車２０に沿って回転し、遊星盤２５の回転を減速させる。遊星盤２５に備える第２ジョイント２６はさらに、受動ジョイント１３２の伝動により、芯軸１３を回転させ、回転台１２と野菜調理ブレード１６をモータと異なる速度で回転する。
【００１４】
よって、利用者は食物調理機を使用するとき、調理する食材の性質に従い、固定速度ブレード又は変速ブレードを選択できる。一例として、肉ミンチのとき、図１と図２に示す構造のブレードを選択することにより、モータのより速い回転速度の切り込み効果を実現する。一方、遅い速度により野菜調理またはジュースを絞るとき、図３と図４に示すブレードを選択により実現できる。
【図面の簡単な説明】
【００１５】
【図１】本考案の変速機構を設けないブレードの実施態様立体図である。
【図２】本考案の変速機構を設けないブレードの平面断面図である。
【図３】本考案の変速機構を有するブレードの実施態様立体図である。
【図４】本考案の変速機構を有するブレードの平面断面図である。
【符号の説明】
【００１６】
１  ブレード
１１  取付け台
１２  回転台
１２１  ブッシング
１３  芯軸
１３１  受動ジョイント
１３２  軸受
１４  ばね
１５  肉ミンチブレード
１６  野菜調理ブレード
２  変速機構
２０  内輪歯車
２１  伝動軸
２２  第１ジョイント
２３  軸受
２４  遊星歯車
２５  遊星盤
２６  第２ジョイント
２７  太陽歯車
【図１】
0003130731.tif 000003
【図２】
0003130731.tif 000004
【図３】
0003130731.tif 000005
【図４】
0003130731.tif 000006